(57)【要約】【課題】居住者が集合玄関機との通話により来訪者を確認し、居住者自身がマンション内への立ち入りを許可すべくオートドアの解錠操作をした場合でなければ、訪問者による玄関子機からの呼び出しを受けない。【解決手段】居室親機２０は、オートドア３０を解錠するための解錠ボタンと、所定の時間を計測するタイマ２０７とを有している。タイマ２０７は、居住者が解錠ボタンを操作することによりオートドア３０の解錠操作を行った場合に起動するようになっており、居室親機２０は、タイマ２０７が起動してから所定の時間が経過する前に玄関子機４０による来訪者からの呼び出しがあった場合には、居室親機２０で呼び出し音を鳴動させ、タイマ２０７が起動してから所定の時間が経過した後、またはタイマ２０７が起動していない場合に玄関子機４０による来訪者からの呼び出しがあった場合には、居室親機２０で呼び出し音を鳴動させない。【選択図】図２
2011097357.tif 000002
【特許請求の範囲】
【請求項１】
集合住宅のエントランスに設置され、居住者を呼び出す機能を備えた集合玄関機と、前記集合玄関機からの呼び出しに応答する機能およびタイマを備えた居室親機と、前記エントランスに設置され、前記集合住宅内への立ち入りを制限するためのオートドアと、前記集合玄関機、前記居室親機、および前記オートドアを制御する制御機と、居住者の玄関に設置され、居住者を呼び出す機能を備えた玄関子機と、を有する集合住宅インターホンシステムにおいて、
前記居室親機は、前記集合玄関機における来訪者からの呼び出しがあった際に前記オートドアを解錠するための解錠ボタンと、所定の時間を計測するタイマとを有しており、
前記タイマは、居住者が前記解錠ボタンを操作することにより前記オートドアの解錠操作を行った場合に起動するようになっており、前記居室親機は、前記タイマが起動してから所定の時間が経過する前に前記玄関子機による来訪者からの呼び出しがあった場合には、前記居室親機で呼び出し音を鳴動させ、前記タイマが起動してから所定の時間が経過した後、または前記タイマが起動していない場合に前記玄関子機による来訪者からの呼び出しがあった場合には、前記居室親機で呼び出し音を鳴動させないようになっている、
集合住宅インターホンシステム。
【請求項２】
前記居室親機は、前記タイマが起動してから所定の時間が経過した後、または前記タイマが起動していない場合に前記玄関子機による来訪者からの呼び出しがあった場合、前記玄関子機から、前記来訪者に対して前記集合玄関機から呼び出しを行うように促すメッセージを流すようになっている、
請求項１記載の集合住宅インターホンシステム。
【請求項３】
前記制御機は、管理人室に設置される管理室親機と接続されており、
前記タイマは、居住者が前記居室親機により前記管理室親機と通話した場合にも起動するようになっている、
請求項１または２記載の集合住宅インターホンシステム。
【請求項４】
前記居室親機は、居住者が任意に前記タイマを起動させるためのタイマ操作部を有している、
請求項１ないし３のいずれかの項記載の集合住宅インターホンシステム。
【発明の詳細な説明】
【技術分野】
【０００１】
本発明は、集合住宅インターホンシステムに関し、特に、玄関子機からの呼び出しを所定の場合に制限することによりセキュリティ性を向上させた集合住宅インターホンシステムに関する。
【背景技術】
【０００２】
従来、特許文献１に示すような集合住宅インターホンシステムが知られている。この集合住宅インターホンシステムは来訪者があった場合、居住者が、その居室内に設置された居室親機と集合住宅のエントランスに設置された集合玄関機との通話により来訪者を確認した後、居室親機に設けられている解錠ボタンを操作することによってエントランスに設置されたオートドアを解錠し、来訪者のマンション内への立ち入りを許可するようになっている。
【先行技術文献】
【特許文献】
【０００３】
【特許文献１】特開２００８−１８７６４８号公報
【発明の概要】
【発明が解決しようとする課題】
【０００４】
このような集合住宅インターホンシステムが設けられている集合住宅では、上述したように、エントランスにオートドアが設けられており、居住者にとって好ましくない来訪者や不審者のマンション内への立ち入りを制限することができる。
しかしながら、集合住宅内の他の居住者が他の来訪者のためにオートドアを解錠した際に共連れ的に第三者がマンション内へ入ってしまったり、集合住宅内の他の居住者によりオートドアが解錠されたことによりマンション内に入った来訪者がさらに別の居住者の住戸を訪ねる場合があり、実際には、居住者にとって好ましくない来訪者や不審者のマンション内への立ち入りを阻止することができないことがある。
そして、いったんマンション内に立ち入った者は、居住者の玄関先まで行けることとなるため、従来の集合住宅インターホンシステムでは、居住者は、集合玄関機から呼び出しを受けておらず、また、自身のオートドアの解錠操作によりマンション内への立ち入り許可もしていないにも関わらず突然玄関子機を通じてドア一枚を隔てた玄関先から呼び出されることとなり、どのようにマンション内に侵入したのか分からない者による突然の訪問に不安を感じることがある。
【０００５】
本発明は、このような玄関先における突然の来訪者の訪問による不安感を和らげるべくなされたものであり、居住者が集合玄関機との通話により来訪者を確認し、居住者自身がマンション内への立ち入りを許可すべくオートドアの解錠操作をした場合でなければ、訪問者による玄関子機からの呼び出しを受けることのない集合住宅インターホンシステムを提供することを課題とする。
【課題を解決するための手段】
【０００６】
上記課題を解決するために、本願発明者は、以下のような集合住宅インターホンシステムを提案する。
【０００７】
本発明の集合住宅インターホンシステムは、集合住宅のエントランスに設置され、居住者を呼び出す機能を備えた集合玄関機と、前記集合玄関機からの呼び出しに応答する機能およびタイマを備えた居室親機と、前記エントランスに設置され、前記集合住宅内への立ち入りを制限するためのオートドアと、前記集合玄関機、前記居室親機、および前記オートドアを制御する制御機と、居住者の玄関に設置され、居住者を呼び出す機能を備えた玄関子機と、を有する。
前記居室親機は、前記集合玄関機における来訪者からの呼び出しがあった際に前記オートドアを解錠するための解錠ボタンと、所定の時間を計測するタイマとを有しており、前記タイマは、居住者が前記解錠ボタンを操作することにより前記オートドアの解錠操作を行った場合に起動するようになっており、前記居室親機は、前記タイマが起動してから所定の時間が経過する前に前記玄関子機による来訪者からの呼び出しがあった場合には、前記居室親機で呼び出し音を鳴動させ、前記タイマが起動してから所定の時間が経過した後、または前記タイマが起動していない場合に前記玄関子機による来訪者からの呼び出しがあった場合には、前記居室親機で呼び出し音を鳴動させないようになっている。
このような集合住宅インターホンシステムによれば、集合玄関機と居室親機との通話が行われた後、居室親機によりオートドアの解錠操作が行われてから所定時間内に玄関子機からの呼出操作が行われない限り、その居室親機の呼出機能が動作することはない。
すなわち、このように玄関子機からの呼出操作ができる機会を制限することにより、居住者が集合玄関機を通じて顔を確認してマンション内への立入許可をした者しか玄関子機からの呼び出しができないようにすることができ、これにより居住者が来訪を把握していない第三者から突然玄関先の玄関子機からの呼び出しを受けることによる居住者の不安を解消することができるとともに、誰だか分からない来訪者に対して玄関ドアを開けてしまうことがなくなるため、セキュリティ性の向上を図ることができる。
【０００８】
前記居室親機は、前記タイマが起動してから所定の時間が経過した後、または前記タイマが起動していない場合に前記玄関子機による来訪者からの呼び出しがあった場合、前記玄関子機から、前記来訪者に対して前記集合玄関機から呼び出しを行うように促すメッセージを流すようになっていてもよい。
このような集合住宅インターホンシステムによれば、来訪者に対して玄関子機で呼び出しができない理由をメッセージとして報知するようになっているため、居住者にとっては居留守を疑われることがなくなり、来訪者にとっては再度適切な手順をとれば玄関子機による呼出しができることを知ることができる。
【０００９】
前記制御機は、管理人室に設置される管理室親機と接続されており、前記タイマは、居住者が前記居室親機により前記管理室親機と通話した場合に起動するようになっていてもよい。このような集合住宅インターホンシステムによれば、管理人が居住者宅を訪問する場合、わざわざ集合玄関機での呼出操作をすることなく玄関子機による呼び出しができるため、利便性が高い。
【００１０】
前記居室親機は、居住者が任意に前記タイマを起動させるためのタイマ操作部を有していてもよい。
このような集合住宅インターホンシステムによれば、集合住宅内の住人が居住者宅を訪問する場合、わざわざ集合玄関機での呼出操作をすることなく玄関子機による呼び出しができるため、利便性が高い。
【発明の効果】
【００１１】
本発明によれば、来訪を把握していない第三者から突然玄関先の玄関子機からの呼び出しを受けることによる居住者の不安を解消することができるとともに、誰だか分からない来訪者に対して玄関ドアを開けてしまうことがなくなるため、セキュリティ性の向上を図ることができる。
【図面の簡単な説明】
【００１２】
【図１】本実施形態の集合住宅インターホンシステムの全体を示すブロック図。
【図２】本実施形態の集合住宅インターホンシステムの実施形態の一例を示す居室親機の回路ブロック図。
【図３】本実施形態の集合住宅インターホンシステムにおいて呼出操作された場合の動作を示すフローチャート。
【発明を実施するための形態】
【００１３】
以下、本発明の集合住宅インターホンシステムの好ましい一実施形態を、図面を参照しながら詳細に説明する。
【００１４】
この実施形態による集合住宅インターホンシステム１は、概略で図１に示したように構成される。すなわち、このインターホンシステム１は、集合住宅のエントランスに設置され、居住者を呼び出す機能を備えた集合玄関機１０と、この集合玄関機１０からの呼び出しに応答する機能およびタイマを備えた複数の居室親機２０（集合住宅の各戸に設置されている。）と、エントランスに設置され、集合住宅内への立ち入りを制限するためのオートドア３０と、居住者の玄関に設置され、居住者を呼び出す機能を備えた玄関子機４０と、集合住宅の管理人室に設置され、居住者等と通話するための管理室親機５０と、集合玄関機１０、居室親機２０、オートドア３０および管理室親機５０を制御する制御機６０と、を備える。
集合玄関機１０、居室親機２０、オートドア３０および管理室親機５０は、それぞれ信号線を介して制御機６０に接続されており、玄関子機４０は、居室親機２０に接続されている。
制御機６０は、集合玄関機１０、居室親機２０、および管理室親機５０間の通話を制御したり、オートドア３０の施解錠を電気的に制御したりするものである。
居室親機２０は、集合玄関機１０における来訪者からの呼び出しがあった際にオートドア３０を解錠するための解錠ボタン２１と、来訪者を表示するためのモニタ２２とを備えている。
【００１５】
また、居室親機２０は、図２に示すように、集合玄関機１０からの呼出信号を受信したり、解錠ボタン２１が押下されることによる解錠信号を制御機６０に送信したりする集合幹線データ送受信回路２０１、玄関子機４０からの呼出信号を検出する玄関子機呼出検出回路２０２、玄関子機４０に音声を送信する玄関子機への送話回路２０３、居住者が任意にタイマを駆動させるための操作を行う任意タイマ駆動操作部２０４、任意タイマ駆動操作部２０４が操作されたことを検出する任意タイマ駆動操作検出回路２０５、および居室親機２０の動作全体を制御する居室親機ＣＰＵ２０６を備える。また、居室親機ＣＰＵ２０６には、予め設定された所定の時間を計測するためのものであり、居住者が解錠ボタン２１を操作することによりオートドア３０の解錠操作を行った場合や、任意タイマ駆動操作部２０４が操作された場合に起動するようになっているタイマ２０７を有している。その他、居室親機２０が通話に必要な音声回路や映像回路等を備えていることは従来のインターホンシステムと同様であるので、説明を省略する。
【００１６】
次に、以上のように構成された集合住宅インターホンシステム１の動作について、図３を参照しながら説明する。
【００１７】
来訪者が集合玄関機１０において呼出操作を行った場合、制御機６０を介して呼出信号が居室親機２０へ送信される。この呼出信号は居室親機２０における集合幹線データ受信回路２０１にて受信され、居室親機ＣＰＵ２０６の制御により、居室親機２０から呼出音が報知される。それを受けて居住者は、居室親機２０により来訪者と通話するとともにモニタ２２にて来訪者の顔を確認し、来訪者の集合住宅内への立ち入りを許可する場合には、オートドア３０を解錠すべく解錠ボタン２１を押下する。かかる解錠操作が行われると、解錠信号が集合幹線データ受信回路２０１を介して制御機６０に送信され、制御機６０の制御によってオートドア３０が解錠される。ここまでは従来の集合住宅インターホンシステムの動作と同様である。
【００１８】
本実施形態の集合住宅インターホンシステム１では、この解錠信号は、集合幹線データ受信回路２０１から居室親機ＣＰＵ２０６にも送信される。居室親機ＣＰＵ２０６は、解錠信号を受信すると（ＳＴ１０１）タイマ２０７を起動させ、予め設定された所定の時間（例えば5分）の計測を開始する（ＳＴ１０２）。
一方、オートドア３０が解錠されると来訪者は集合住宅内へ立ち入ることができ、居住者の玄関先まで移動して玄関子機４０による居住者の呼出しを行うことが可能となる。来訪者により玄関子機４０での呼出操作がなされると（ＳＴ１０３）、呼出信号が居室親機２０に送信され、居室親機２０の玄関子機呼出検出回路２０２によって検知される。
【００１９】
玄関子機呼出検出回路２０２が呼出信号を検知すると、居室親機ＣＰＵ２０６は、この呼出操作がなされたのがタイマ２０７の起動中であるか、すなわちタイマ２０７が起動してから所定の時間内のものであるか否かを判定する（ＳＴ１０４）。
そして、居室親機ＣＰＵ２０６が、その呼び出しがタイマ２０７起動後所定の時間内のものであると判定した場合（ＳＴ１０４：Ｙｅｓ）、居室親機２０から呼出音を報知させる（ＳＴ１０５）。
【００２０】
一方、居室親機ＣＰＵ２０６が、その呼び出しがタイマ２０７起動後所定の時間内のものではないと判定した場合（ＳＴ１０４：Ｎｏ）、居室親機２０から呼出音を報知させず、さらに来訪者に対して集合玄関機１０から呼び出しを行うように促すメッセージを流すように、玄関子機への送話回路２０３を制御する。
【００２１】
なお、ここでは、来訪者が集合玄関機１０において呼出操作を行った場合について説明したが、集合住宅内の他の居住者が他の来訪者のためにオートドアを解錠した際に共連れ的にマンション内へ入ることにより、来訪者が集合玄関機１０において呼出操作を行わずに玄関子機４０により居住者の呼び出しを行うこともある。この場合、居室親機ＣＰＵ２０６は、その呼び出しがタイマ２０７起動後所定の時間内のものではないと判定し（ＳＴ１０４：Ｎｏ）、居室親機２０から呼出音を報知させず、来訪者に対して集合玄関機１０から呼び出しを行うように促すメッセージを流すように、玄関子機への送話回路２０３を制御するようになっている。
【００２２】
このように、本実施形態の集合住宅インターホンシステム１によれば、集合玄関機１０と居室親機２０との通話が行われた後、居室親機２０によりオートドア３０の解錠操作が行われてから所定の時間内に玄関子機４０からの呼出操作が行われない限り、その居室親機２０の呼出機能が動作することはない。すなわち、居住者が集合玄関機１０を通じて顔を確認してマンション内への立入許可をした者からしか玄関子機４０からの呼出しを受けることがないため、居住者が来訪を把握していない第三者から突然玄関先の玄関子機４０からの呼び出しを受けることによる居住者の不安を解消することができるとともに、誰だか分からない来訪者に対して玄関ドアを開けてしまうことがなくなるため、セキュリティ性の向上を図ることができる。
また、本実施形態の集合住宅インターホンシステム１によれば、来訪者に対して玄関子機１０で呼び出しができない理由をメッセージとして報知するようになっているため、居住者にとっては居留守を疑われることがなくなり、来訪者にとっては再度適切な手順をとれば玄関子機４０による呼出しができることを知ることができる。
【００２３】
また、本実施形態の集合住宅インターホンシステム１は、管理室親機５０からの呼び出しに居住者が居室親機２０で応答した場合にもタイマ２０７が起動するようになっている。
すなわち、管理室親機５０から居住者への呼び出しが行われると、制御機６０を介して呼出信号が居室親機２０へ送信される。この呼出信号は居室親機２０における集合幹線データ受信回路２０１にて受信され、居室親機ＣＰＵ２０６の制御により呼出音が報知される。
管理室親機５０からの呼び出しに居住者が居室親機２０で応答した場合、居室親機ＣＰＵ２０６は、タイマ２０７を起動させ、予め設定された所定の時間の計測を開始する。
そして、管理人により玄関子機４０での呼出操作がなされた場合、上述のように、その呼び出しがタイマ２０７が起動してから所定の時間内のものであるか否かを居室親機ＣＰＵ２０６が判定し、タイマ２０７起動後所定の時間内のものであると判定した場合には居室親機２０から呼出音を報知させ、その呼び出しがタイマ２０７起動後所定の時間内のものではないと判定した場合には、居室親機２０から呼出音を報知させない。
このように、本実施形態の集合住宅インターホンシステム１によれば、管理人が居住者宅を訪問する場合、わざわざ集合玄関機１０での呼出操作をすることなく玄関子機４０による呼び出しができるため、利便性が高い。
【００２４】
さらに、本実施形態の集合住宅インターホンシステム１は、居住者が任意タイマ駆動操作部２０４を操作した場合にもタイマ２０７が起動するようになっている。
すなわち、居住者により任意タイマ駆動操作部２０４が操作されたことを任意タイマ駆動操作検出回路２０５が検知した場合、居室親機ＣＰＵ２０６は、タイマ２０７を起動させ、予め設定された所定の時間の計測を開始する。
そして、来訪者により玄関子機４０での呼出操作がなされた場合、上述のように、その呼び出しがタイマ２０７が起動してから所定の時間内のものであるか否かを居室親機ＣＰＵ２０６が判定し、タイマ２０７起動後所定の時間内のものであると判定した場合には居室親機２０から呼出音を報知させ、その呼び出しがタイマ２０７起動後所定の時間内のものではないと判定した場合には、居室親機２０から呼出音を報知させない。
このように、本実施形態の集合住宅インターホンシステム１によれば、マンション内の住人からの訪問のアポイントが予めある場合などには、訪問者がその都度集合玄関まで行って集合玄関機１０の操作をして居住者がオートドア３０の解除操作をしなくても玄関子機４０からの呼出しが可能となり、利便性が高い。
【００２５】
なお、本実施形態の集合住宅インターホンシステム１では、制御機６０に管理室親機５０が接続されているものとして説明したが、管理室親機５０に接続されていない構成としてもよい。
また、居室親機２０は、任意タイマ駆動操作部２０４および任意タイマ駆動操作検出回路２０５を備えているものとして説明したが、これらを備えていない構成としてもよい。
【符号の説明】
【００２６】
１・・集合住宅インターホンシステム、１０・・集合玄関機、２０・・居室親機、３０・・オートドア、４０・・玄関子機、５０・・管理室親機、６０・・制御機、２０１・・集合幹線データ送受信回路、２０２・・玄関子機呼出検出回路、２０３・・玄関子機への送話回路、２０４・・任意タイマ駆動操作部、２０５・・任意タイマ駆動検出回路、２０６・・居室親機ＣＰＵ、２０７・・タイマ。
【図１】
2011097357.tif 000003
【図２】
2011097357.tif 000004
【図３】
2011097357.tif 000005